(57)【要約】【課題】塵埃の良好な分離排出を可能にしながら収穫物のタンク外飛散を回避し易いとともにコンパクトかつ安価に得られる収穫機を提供する。【解決手段】搬送機構Ｃは、搬送した収穫物を搬送終端部の吐出口４５Ａから機体後方向きに収穫物タンク４の上方に吐出して収穫物タンク４の機体上方向き開口４Ａに落下させる。吐出口４５Ａに対して吐出方向下手側の箇所に、機体上方向き開口４Ａより高い配置高さの箇所で吐出口４５Ａからの収穫物を受け止めて機体上方向き開口４Ａに落下案内する案内体８５を設けてある。案内体８５の機体横方向幅を吐出口４５Ａの機体横方向幅と同じ又はほぼ同じに設定してある。【選択図】図１０
2013220054.tif 000002
【特許請求の範囲】
【請求項１】
収穫部からの収穫物を走行機体側に搬送する搬送機構を、搬送した収穫物を搬送終端部の吐出口から機体後方向きに収穫物タンクの上方に吐出して前記収穫物タンクの機体上方向き開口に落下させるよう構成した収穫機であって、
前記吐出口に対して吐出方向下手側の箇所に、前記機体上方向き開口より高い配置高さの箇所で前記吐出口からの収穫物を受け止めて前記機体上方向き開口に落下案内する案内体を設け、
前記案内体の機体横方向幅を前記吐出口の機体横方向幅と同じ又はほぼ同じに設定してある収穫機。
【請求項２】
前記案内体を、前記収穫物タンクの後壁の直上方箇所又はほぼ直上方箇所で収穫物を受け止めるように配備してある請求項１記載の収穫機。
【請求項３】
前記吐出口から吐出される収穫物に塵埃選別の選別風を供給する送風装置を設けてある請求項１又は２記載の収穫機。
【請求項４】
前記案内体を前記収穫物タンクの上方から垂下させてある請求項１〜３のいずれか一項に記載の収穫機。
【請求項５】
前記案内体の下端部が前記収穫物タンクの内部に入り込むように、前記案内体を配備してある請求項４記載の収穫機。
【請求項６】
前記収穫物タンクを収穫物貯留の貯留姿勢と収穫物排出の排出姿勢とに切換自在に支持し、
前記案内体を、前記貯留姿勢での前記収穫物タンクの機体上方向き開口より高い配置高さに位置する箇所で前記収穫物の受け止め及び落下案内を行なう作用位置と、前記貯留姿勢と前記排出姿勢とに切り換わり移動する前記収穫物タンクに対して退避する退避位置とに位置変更自在に支持してある請求項１〜５のいずれか一項に記載の収穫機。
【請求項７】
前記収穫物タンクの前記排出姿勢に切り換わる移動に連係して前記案内体が前記退避位置に位置変化するように前記収穫物タンクと前記案内体とを連係させてある請求項６記載の収穫機。
【請求項８】
前記吐出口から吐出される塵埃を前記収穫物タンクの上方箇所で前記案内体から外れた箇所に向けて流動案内する案内ダクトを設けてある請求項１〜７のいずれか一項に記載の収穫機。
【請求項９】
前記案内ダクトに前記案内体を連結してある請求項８記載の収穫機。
【請求項１０】
前記収穫物タンクを収穫物貯留の貯留姿勢と収穫物排出の排出姿勢とに切換自在に支持し、
前記案内ダクトを、案内位置と、前記貯留姿勢及び前記排出姿勢に切り換わり移動する前記収穫物タンクに対して退避する解除位置とに位置変更自在に支持してある請求項８又は９記載の収穫機。
【請求項１１】
前記吐出口から吐出される塵埃を前記収穫物タンクの上方箇所で前記案内体から外れた箇所に向けて流動案内する案内ダクトを、案内位置と、前記貯留姿勢及び前記排出姿勢に切り換わり移動する前記収穫物タンクに対して退避する解除位置とに位置変更自在に支持し、
前記案内体が前記作用位置になると、前記案内ダクトが前記案内位置になり、前記案内体が前記退避位置になると、前記案内ダクトが前記解除位置になるように、前記案内体と前記案内ダクトを一体に位置変化するよう連結してある請求項６又は７記載の収穫機。
【請求項１２】
前記収穫物タンクから排出される収穫物を供給先に向けて流下案内するシュートを設け、
前記シュートを、案内底板、及び前記案内底板の両横端部から上方向きに突出する横側板を備えて構成してある請求項１〜１１のいずれか一項に記載の収穫機。
【発明の詳細な説明】
【技術分野】
【０００１】
本発明は、収穫部からの収穫物を走行機体側に搬送する搬送機構を、搬送した収穫物を搬送終端部の吐出口から機体後方向きに収穫物タンクの上方に吐出して前記収穫物タンクの機体上方向き開口に落下させるよう構成した収穫機に関する。
【背景技術】
【０００２】
従来、例えば特許文献１に開示されるサトウキビ収穫機があった。このサトウキビ収穫機では、刈取部で刈り取ったサトウキビを切断部で切断し、切断部からのサトウキビ片を横搬送部に送って横搬送部の後端部より収容部に向けて放出、落下させるように構成し、横搬送部の後方に位置する吸引ダクト及び吸引ダクト内に設けた軸流ファンを備えてトラッシュ排出手段を構成し、横搬送部から放出されるサトウキビ片からトラッシュ分離手段によって分離されたトラッシュを収容部の外部に排出するように構成し、吸引ダクトの後壁の下部に落下軌跡調節体を設けている。
【先行技術文献】
【特許文献】
【０００３】
【特許文献１】特開平１０−２１５６３３号公報
【発明の概要】
【発明が解決しようとする課題】
【０００４】
上記した収穫機において、搬送機構の吐出口から吐出される収穫物が軽小であるなどによって収穫物タンクを越えてタンク外に飛び出ることがあれば、圃場に落下して損失になるか、圃場から拾って回収する手間が必要になる。
搬送機構から吐出される収穫物が収穫物タンクを飛び越えないように、搬送機構と収穫物タンクの隙間を覆った場合、搬送機構から収穫物に混在して吐出される切れ葉などの塵埃が、タンク外に飛散せずに収穫物と共に収穫物タンクに入り込むことになる。塵埃の分離排出が可能なように上記した従来の技術を採用した場合、吸引ダクトやファンを採用することにより、大型及びコスト高になりがちであった。
【０００５】
本発明の目的は、塵埃の良好な分離排出を可能にしながら収穫物のタンク外飛散を回避し易いとともにコンパクトかつ安価に得られる収穫機を提供することにある。
【課題を解決するための手段】
【０００６】
本第１発明は、収穫部からの収穫物を走行機体側に搬送する搬送機構を、搬送した収穫物を搬送終端部の吐出口から機体後方向きに収穫物タンクの上方に吐出して前記収穫物タンクの機体上方向き開口に落下させるよう構成した収穫機において、
前記吐出口に対して吐出方向下手側の箇所に、前記機体上方向き開口より高い配置高さの箇所で前記吐出口からの収穫物を受け止めて前記機体上方向き開口に落下案内する案内体を設け、
前記案内体の機体横方向幅を前記吐出口の機体横方向幅と同じ又はほぼ同じに設定してある。
【０００７】
本第１発明の構成によると、案内体が収穫物タンクの機体上方向き開口より高い配置さの箇所で収穫物を受け止めるから、機体上方向き開口より高い配置高さの部位のうちの案内体から外れた箇所を収穫物タンクの外側に向かって開放された状態にできる。さらに、案内体の機体横方向幅を吐出口の機体横方向幅と同じ又はほぼ同じに設定してあるから、案内体から外れることによって、収穫物タンクの外側に向かって開放された状態となる部位の範囲を広く確保することができて、吐出口から収穫物に混在して吐出される塵埃が収穫物タンクの外部に良好に飛散するようにできる。
【０００８】
搬送機構の吐出口から吐出された収穫物が収穫物タンクの機体上方向き開口を越えてタンク外に向かって飛び出ようとしても、この収穫物は、案内体による受け止め及び落下案内を受けて収穫物タンクの機体上方向き開口に落下する。
【０００９】
従って、本第１発明によると、塵埃が収穫物タンクの外部に良好に飛散して、収穫物タンクに回収される収穫物の塵埃混入を効果的に回避できるものでありながら、収穫物が収穫物タンク外に飛び出る損失を無くしたり抑制したりできる。そして、吐出口と同じ又はほぼ同じ機体横方向幅の案内体を設けるだけの簡単な構造で済み、コンパクトかつ安価に得ることができる。
【００１０】
本第２発明は、前記案内体を、前記収穫物タンクの後壁の直上方箇所又はほぼ直上方箇所で収穫物を受け止めるように配備してある。
【００１１】
本第２発明の構成によると、案内体が搬送機構の吐出口から後方に離れて位置することになり、吐出口から収穫物に混在して吐出された塵埃が拡散することの妨げに案内体がなりにくい。
【００１２】
従って、本第２発明によると、案内体を設けるものでありながら、塵埃の収穫物タンク外への飛散を良好に行なわせて、収穫物タンクに回収される収穫物の塵埃混入を良好に回避できる。
【００１３】
本第３発明は、前記吐出口から吐出される収穫物に塵埃選別の選別風を供給する送風装置を設けてある。
【００１４】
本第３発明の構成によると、搬送機構から吐出される収穫物が選別風の影響を受けることになっても、収穫物の収穫物タンク外への飛び出しを案内体によって回避や抑制できるものだから、比較的強い選別風を供給して塵埃の選別が良好に行なわれるようにできる。
【００１５】
従って、本第３発明によると、収穫物タンクに回収される収穫物の塵埃混入をより効果的に回避できる。
【００１６】
本第４発明は、前記案内体を前記収穫物タンクの上方から垂下させてある。
【００１７】
本第４発明の構成によると、案内体に収穫物が強く当接しても、案内体が揺れ動いて収穫物に掛る当接反力を弱くする緩衝機能を案内体に備えさせることができる。
【００１８】
従って、本第４発明によると、収穫物を受け止める案内体を設けるものでありながら、案内体に緩衝機能を備えさせる簡単な損傷回避手段で収穫物の損傷を回避できる。
【００１９】
本第５発明は、前記案内体の下端部が前記収穫物タンクの内部に入り込むように、前記案内体を配備してある。
【００２０】
本第５発明の構成によると、案内体に収穫物が当接して案内体に揺れ動きが発生し、案内体の下端側が収穫物タンクに対して大幅にズレ上がることになっても、案内体の下端部が収穫物タンクの内部に入り込んでいることにより、案内体の下端側が収穫物タンクから外れることを防止できる。従って、案内体の揺れ動きによる緩衝機能を効果的に発生させることができる。
【００２１】
従って、本第５発明によると、案内体の効果的な緩衝機能によって収穫物の損傷防止を効果的に行ないながら、収穫物の収穫物タンク外への飛び出しを効果的に防止できる。、
【００２２】
本第６発明は、前記収穫物タンクを収穫物貯留の貯留姿勢と収穫物排出の排出姿勢とに切換自在に支持し、前記案内体を、前記貯留姿勢での前記収穫物タンクの機体上方向き開口より高い配置高さに位置する箇所で前記収穫物の受け止め及び落下案内を行なう作用位置と、前記貯留姿勢と前記排出姿勢とに切り換わり移動する前記収穫物タンクに対して退避する退避位置とに位置変更自在に支持してある。
【００２３】
本第６発明の構成によると、収穫物タンクが貯留姿勢にあり、案内体が作用位置に位置する際、収穫物タンクと案内体の間に隙間が無いように案内体を配備しても、収穫物タンクを貯留姿勢や排出姿勢に切換える際、案内体の退避位置への位置変更によって収穫物タンクと案内体の干渉を回避することができる。
【００２４】
従って、本第６発明によると、収穫物タンクを排出姿勢に切換えることができるものでありながら、収穫作業の際、収穫物タンクと案内体の隙間が無くて収穫物のタンク外への飛び出し防止を効果的にできる。
【００２５】
本第７発明は、前記収穫物タンクの前記排出姿勢に切り換わる移動に連係して前記案内体が前記退避位置に位置変化するように前記収穫物タンクと前記案内体とを連係させてある。
【００２６】
本第７発明の構成によると、収穫物タンクを排出姿勢に切換える際、案内体が退避位置に自ずと位置変化することにより、収穫物タンクと案内体の干渉回避を自動的に行なわせられる。
【００２７】
従って、本第７発明によると、収穫物タンクを排出姿勢に切換えることができ、かつ収穫物タンクと案内体の隙間が無くて収穫物のタンク外への飛び出し防止を効果的にできるものでありながら、収穫物タンクと案内体の干渉防止を操作簡単にできる。
【００２８】
本第８発明は、前記吐出口から吐出される塵埃を前記収穫物タンクの上方箇所で前記案内体から外れた箇所に向けて流動案内する案内ダクトを設けてある。
【００２９】
本第８発明の構成によると、搬送機構から吐出される塵埃が案内ダクトの流動案内を受けて案内体から外れた箇所に流動するから、塵埃が案内体に当接して収穫物タンクに入り込むことを防止できる。
【００３０】
従って、本第８発明によると、収穫物が収穫物タンク外に出る収穫物損失を防止できる収穫機を、収穫物タンクに回収される収穫物の塵埃混入を効果的に抑制しながら得ることができる。
【００３１】
本第９発明は、前記案内ダクトに前記案内体を連結してある。
【００３２】
本第９発明の構成によると、案内ダクトと案内体とを近付き合う位置関係にし、案内ダクトに当って跳ね返る収穫物が発生しても、跳ね返った収穫物を収穫物タンクの外部に飛び出ないで収穫物タンクに回収されやすいように、案内ダクトの近くで案内体によって受け止めさせることができる。
【００３３】
本第９発明によると、案内ダクトに当って跳ね返る収穫物が発生しても収穫物タンクに回収されやすく、案内ダクトを備えるものでありながら、案内ダクトに起因する収穫物の飛散損失を回避しやすい。
【００３４】
本第１０発明は、前記収穫物タンクを収穫物貯留の貯留姿勢と収穫物排出の排出姿勢とに切換自在に支持し、前記案内ダクトを、案内位置と、前記貯留姿勢及び前記排出姿勢に切り換わり移動する前記収穫物タンクに対して退避する解除位置とに位置変更自在に支持してある。
【００３５】
本第１０発明の構成によると、収穫物タンクが貯留姿勢にあり、案内ダクトが案内位置に位置する際、案内ダクトが収穫物タンクの近くに位置するようにしても、収穫物タンクを貯留姿勢や排出姿勢に切換える際、案内ダクトの解除位置への位置変更によって収穫物タンクと案内ダクトの干渉を回避することができる。
【００３６】
従って、本第１０発明によると、収穫物タンクを排出姿勢に切換えることができるものでありながら、収穫作業の際、案内ダクトを収穫物タンクの近くで作用させて塵埃の排出案内を精度よく行わせることができる。
【００３７】
本第１１発明は、前記吐出口から吐出される塵埃を前記収穫物タンクの上方箇所で前記案内体から外れた箇所に向けて流動案内する案内ダクトを、案内位置と、前記貯留姿勢及び前記排出姿勢に切り換わり移動する前記収穫物タンクに対して退避する解除位置とに位置変更自在に支持し、前記案内体が前記作用位置になると、前記案内ダクトが前記案内位置になり、前記案内体が前記退避位置になると、前記案内ダクトが前記解除位置になるように、前記案内体と前記案内ダクトを一体に位置変化するよう連結してある。
【００３８】
本第１１発明の構成によると、案内体を案内位置に位置変化させ、案内ダクトを案内位置に位置変化させる際、及び案内体を退避位置に位置変化させ、案内ダクトを解除位置に位置変化させる際、案内体と案内ダクトの位置変化を両方の連結によって一挙に行なわせられる。
【００３９】
従って、本第１１発明によると、収穫物タンクを排出姿勢に切換えることができ、かつ収穫物タンクと案内体の隙間が無くて収穫物のタンク外への飛び出し防止を効果的にできるものでありながら、収穫物タンクと案内体の干渉防止を操作簡単にできる。
【００４０】
本第１２発明は、前記収穫物タンクから排出される収穫物を供給先に向けて流下案内するシュートを設け、前記シュートを、案内底板、及び前記案内底板の両横端部から上方向きに突出する横側板を備えて構成してある。
【００４１】
本第１２発明の構成によると、案内底板から横外側にこぼれ出ようとする収穫物を横側板による受け止め及び流動案内によって供給先に向けて流動させることができ、収穫物タンクから排出される収穫物が供給先外にこぼれ出る損失を効果的に防止できる。
【００４２】
従って、本第１２発明によると、収穫物タンクから運搬車荷台などの供給先に収穫物を供給するのに、収穫物の供給先外へのこぼれ出しを良好に回避できる。
【図面の簡単な説明】
【００４３】
【図１】トウモロコシ収穫機の全体を示す側面図である。
【図２】トウモロコシ収穫機の全体を示す平面図である。
【図３】フィーダの後部及び送風装置を示す縦断側面図である。
【図４】貯留姿勢に切換えられた状態の収穫物タンク、案内位置に切換えられた状態の案内ダクト、作用位置に切換えられた状態の案内体を示す側面図である。
【図５】貯留姿勢に切換えられた状態の収穫物タンク、案内位置に切換えられた状態の案内ダクト、作用位置に切換えられた状態の案内体、格納姿勢切換えられた状態のシュートを示す後面図である。
【図６】排出姿勢に切換えられた状態の収穫物タンク、解除位置に切換えられた状態の案内ダクト、退避位置に切換えられた状態の案内体を示す側面図である。
【図７】貯留姿勢に切換えられた状態の収穫物タンク及び格納姿勢に切換えられた状態のシュートを示す側面図である。
【図８】使用姿勢に切換えられた状態のシュートを示す側面図である。
【図９】シュートを示す斜視図である。
【図１０】貯留姿勢に切換えられた状態の収穫物タンク、案内位置に切換えられた状態の案内ダクト、作用位置に切換えられた状態の案内体を示す側面図である。
【図１１】案内ダクト及び案内体を示す平面図である。
【図１２】カウンタ軸を示す平面図である。
【図１３】図１２のＸＩＩＩ―ＸＩＩＩ断面矢視図である。
【図１４】カウンタ軸の装着要領を示す平面図である。
【図１５】図１４のＸＶ−ＸＶ断面矢視図である。
【図１６】切換えレバーを示す側面図である。
【図１７】切換えレバーを示す平面図である。
【発明を実施するための形態】
【００４４】
以下、本発明の実施形態を図面に基づいて説明する。
〔全体構成・収穫作業の概要〕
【００４５】
図１は、収穫機の一例としてのトウモロコシ収穫機の全体を示す側面図である。図２は、収穫機の一例としてのトウモロコシ収穫機の全体を示す平面図である。図１，２に示すように、このトウモロコシ収穫機は、トウモロコシを収穫対象とするものであり、機体フレームＡ、機体フレームＡの前部位置に設けた前車輪１、機体フレームＡの後部位置に設けた後車輪２、機体フレームＡの前部位置に設けた運転キャビン３を有した走行機体を備えている。また、機体フレームＡの前端に収穫部Ｂを備え、この収穫部Ｂで収穫したトウモロコシを走行機体側に搬送する搬送機構としてのフィーダＣを備えている。このトウモロコシ収穫機では、機体フレームＡの後端部に設けた収穫物タンク４、及び前車輪１と後車輪２との中間位置に設けた残稈処理装置Ｄを備えている。
【００４６】
図１に示すように、機体フレームＡは、前後に延びる左右一対の主フレーム６と、この前部位置で前述した運転キャビン３を支持するように高レベルに備えられるキャビンフレーム７と、主フレーム６の前後方向の中央位置でエンジン類を支持する原動部フレーム８と、主フレーム６の後部位置で収穫物タンク４を支持するタンクフレームＴＦとを連結した構成を有している。主フレーム６の中央位置で原動部フレーム８にエンジン１０が支持され、主フレーム６の前部位置には左右の前車輪１に駆動力を伝える前輪駆動ケース１１が支持されている。前輪駆動ケース１１にはエンジン１０から駆動力が伝達される。主フレーム６の後部位置には左右の後車輪２をステアリング作動させるステアリング駆動機構（図示せず）が備えられている。
【００４７】
運転キャビン３は前面にフロントガラス２１を備え、側部に開閉自在にドア２２を備えている。運転キャビン３の内部には作業車が着座する運転座席（図示せず）と、ステアリング操作具（図示せず）とが配置され、ステアリング操作具の操向操作に連動して後車輪２のステアリング駆動機構が制御される。
【００４８】
図２に示すように、運転キャビン３のドア２２の外方には主ステップ２６を備え、この主ステップ２６の外端位置に、前後向き姿勢の揺動支軸２７Ａを中心にして揺動自在に補助ステップ２７を備えている。図２に示すように、運転キャビン３の左横側に乗降用のラダー２４を設けてある。
【００４９】
ラダー２４は、機体上下向きの姿勢変更軸２３を中心に姿勢変更自在にキャビンフレーム７に支持されている。ラダー２４は、両側のサイドプレートに挟まれる位置に複数のステップを階段状に備えた一般的な構造を有している。ラダー２４は、運転キャビン３の横外側に突出した使用姿勢と、走行機体の前後方向に沿った格納姿勢と、これらの中間となる中間姿勢とに姿勢変更自在に構成されている。
【００５０】
主フレーム６の前後方向の中央位置には機体横向きのカウンタ軸１３が備えられている。図１２は、カウンタ軸１３を示す平面図である。図１２に示すように、カウンタ軸１３は、中間部に一体回転自在に設けられた入力プーリ１４、一端部に一体回転自在に設けられた出力プーリ１５及び出力スプロケット１６を備え、入力プーリ１４によってエンジン１０１０からの駆動力を入力し、入力した駆動力を出力プーリ１５から収穫部Ｂに出力し、入力した駆動力を出力スプロケット１６からフィーダＣに出力する。カウンタ軸１３は、入力した駆動力を他端部からジョイント１９を介してギヤ伝動ケース２０の入力軸２０ａに伝達する。ギヤ伝動ケース２０は、入力軸２０ａによって入力した駆動力を出力プーリ２０ｂから残稈処理装置Ｄに伝達する。
【００５１】
図１２に示すように、カウンタ軸１３は、入力プーリ１４の横側部位及び出力プーリ１５の横側部位に装着された軸受ケース１３ａを機体フレームＡに設けた一対の支持体３９，３９に連結ボルト４０ａ，４０ｂによって連結することにより、機体フレームＡに装着してある。図１２，１３に示すように、各支持体３９は、主フレーム６に連結された機体横向きの前後一対の連結フレーム４０，４０に連結されている。
【００５２】
図１５は、図１４のＸＶ−ＸＶ断面矢視図である。図１５に示すように、入力プーリ１４の横側部位の軸受ケース１３ａを連結する支持体３９にカウンタ軸１３が挿通するよう設けてある軸孔３９ａは、機体下方向きに開口する切り欠きによって構成してある。出力プーリ１５の横側部位の軸受ケース１３ａを連結する支持体３９にカウンタ軸１３が挿通するよう設けてある軸孔３９ａも、入力プーリ１４の横側部位の軸受ケース１３ａを連結する支持体３９と同様に機体下方向きに開口する切り欠きによって構成してある。各軸受ケース１３ａの支持体３９に対する連結は、３本の脱着自在な連結ボルト４０ａ及び１本のスタッドボルト４０ｂによって行なうように構成してある。
【００５３】
つまり、カウンタ軸１３は、図１４に示す装着要領に基づいて機体フレームＡに装着するように構成してある。
すなわち、図１４に示すように、入力プーリ１４及び一対の軸受ケース１３ａ，１３ａが装着済みで、出力プーリ１５、出力スプロケット１６及びギヤ伝動ケース２０が未装着のカウンタ軸１３を、一対の支持体３９，３９の軸孔３９ａに下方から嵌め込む。カウンタ軸１３が各支持体３９の軸孔３９ｓの奥側の所定箇所に位置すると、カウンタ軸１３を軸芯方向に移動操作して、各軸受ケース１３ａを支持体３９に向けて移動させる。各軸受ケース１３ａ，１３ａがスタッドボルト４０ｂに外嵌すると、スタッドボルト４０ｂにナット４０ｃを装着するとともに３本の脱着自在な連結ボルト４０ａを装着し、各軸受ケース１３ａをスタッドボルト４０ｂ及び連結ボルト４０ａによって支持体３９に締め付け固定する。
【００５４】
残稈処理装置Ｄは、横向き姿勢の駆動軸に対して複数の破砕刃を、下方に開放する処理ケースの内部に備えた構成を有しており、駆動軸によて駆動される砕刃によりトウモロコシが収穫後の残稈を細断破砕し、土壌に拡散させる処理を行う。
【００５５】
植物体としてのトウモロコシは、植立する茎稈に対し収穫時期に多数の実を内包する複数の房状部を作る。この房状部の包葉の内部に多数の種子（穀物としてのトウモロコシ）が含まれ、この種子は棒状の芯の外面に整列する形態で形成される。本発明においてトウモロコシと称するものは、棒状の芯の外周に多数の種子を備えたもの（収穫物の具体例）を指す。
【００５６】
このトウモロコシ収穫機では、収穫作業時に前車輪１の駆動により走行機体を走行させ、運転キャビン３の内部のステアリング操作具で後車輪２のステアリング駆動機構を制御することにより操向制御が行われる。また、収穫作業時には、収穫部Ｂで収穫したトウモロコシがフィーダＣによって収穫物タンク４に向けて搬送され、収穫物タンク４の機体上方向き開口４Ａから内部に落下供給して収穫物タンク４に貯留される。この収穫時に圃場に残された茎稈は残稈処理装置Ｄにより破砕処理される。
【００５７】
〔収穫部〕
収穫部Ｂは、走行機体の前部位置において、横向き姿勢の昇降軸芯Ｐを中心にして揺動自在に支持されると共に、油圧式の昇降シリンダ３１の駆動力により昇降操作される。
【００５８】
図１，２に示すように、収穫部Ｂは、横方向に並列する３列の導入経路が形成され、各々の導入経路を挟む位置に左右一対の収穫ロール３２を備え、この上部位置に左右一対の無端搬送チェーン３３を備え、上下方向でこれらの中間位置に分離プレート３４を備えている。複数の収穫ロール３２と複数の無端搬送チェーン３３との後方位置にはトウモロコシを横方向の中央位置に移送するオーガ３５を備えている。オーガ３５の横方向の中央位置に移送されたトウモロコシを、オーガ３５の後方側に配置してオーガケース３６に設けた送出口からフィーダＣの搬送始端部に設けられた投入口に供給する。
【００５９】
収穫ロール３２は、導入経路と平行する姿勢の回転軸芯を中心に回転自在に支持され、前端位置に先細りのスクリュー部３２Ａを備え、これより後方側の外周には複数の収穫羽根３２Ｂを備えている。無端搬送チェーン３３は、多数の突起が形成されると共に、前部位置の前部スプロケットと後部位置の後部スプロケットとに巻回されている。また、収穫ロール３２を駆動すると共に、後部スプロケットの駆動により無端搬送チェーン３３を駆動する駆動ケース３７がオーガ３５の前方位置に配置されている。オーガ３５は、オーガケース３６に収容され、外周にはスクリュー羽根体３５Ａが形成されている。
【００６０】
前述したカウンタ軸１３からの駆動力を駆動ケース３７と、オーガ３５とに供給することにより、導入経路を挟む位置に配置される一対の収穫ロール３２は、駆動回転され、無端搬送チェーン３３は導入経路に沿って後方（オーガ側）に循環駆動され、オーガ３５はスクリュー羽根体３５Ａで左右方向の中央側にトウモロコシを搬送するように駆動される。
【００６１】
この構成から、導入経路に茎稈が導入された場合には、収穫ロール３２の収穫羽根３２Ｂが茎稈を下方に引く力を継続的に作用させ、茎稈から延び出ている房状のトウモロコシを分離プレート３４の上面に接触させ、このトウモロコシを上方に引きちぎる形態で茎稈から分離する。このように分離したトウモロコシは無端搬送チェーン３３でオーガ３５のスクリュー羽根体３５Ａにより走行機体の横幅方向の中央に搬送され、フィーダＣに供給される。
【００６２】
〔フィーダ〕
フィーダＣは、図３に示すように、前端側の駆動スプロケット（図示せず）と、後端側の従動スプロケット４２とに亘ってフィードチェーン４３を巻回し、このフィードチェーン４３に対して設定間隔で複数の搬送プレート４４を備え、これらをフィーダケース４５に内装して構成されている。このフィーダＣは、フィードコンベアとして機能するものであり、フィーダケース４５の後端部（搬送終端部）には機体後方向きに開口する吐出口４５Ａが形成され、搬送してきたトウモロコシを吐出口４５Ａから収穫物タンク４の上方に機体後方向きに吐出する。吐出口４５Ａは、フィーダケース４５の下壁を取り除くことにより、左右の側壁と、上壁とを残して機体後方下方に開口する形態で形成されている。
【００６３】
フィーダＣは、フィーダケース４５の搬送終端部の下側に設けた送風装置Ｅを備えている。送風装置Ｅは、ファンケース５１及びファンケース５１の内部に横向き姿勢のファン軸５２と一体回転する複数の送風翼体５３を備え、カウンタ軸１３の出力プーリ１５からの駆動力による送風翼体５３の回転により、ファンケース５１の外部の空気をファンケース５１の側面から吸引して選別風を発生させ、発生した選別風を、ファンケース５１の送風口５１ａから吐出口４５ａを内側から外側に抜け出るように送出する。
従って、送風装置Ｅは、吐出口４５Ａから吐出されるトウモロコシに選別風を供給する。供給された選別風は、吐出口４５Ａからトウモロコシに混在して吐出された葉の一部や稈身の一部等の塵埃を風圧により吹き飛ばしてトウモロコシと選別する。
【００６４】
吐出口４５Ａの後方で、かつ、フィーダケース４５の後端部にはフィードコンベアによる搬送方向の延長方向に開放する開放空間Ｖが吐出口４５Ａと連なる領域に形成されている。尚、開放空間Ｖも後方に開放しており、フィーダケース４５を取り囲む左右の側壁と、上壁とを残して後方に開放する形態で形成され、この開放空間Ｖの内部でフィードチェーン４３の搬送方向の延長上には、比較的大型の葉や稈身等の処理物を排出する排出装置Ｆを備えている。
排出装置Ｆは、上下位置に配置される一対の搬送軸５５と一体回転する搬送ローラ５６を備えて構成されている。この排出装置Ｆは搬送プレート４４による非収穫物の搬送方向の延長上に配置され、比較的大型の茎の一部や葉の一部を挟み込み、後方に放擲して案内ダクト５８の内部に排出する。
【００６５】
一対の搬送軸５５に対して送風装置Ｅのファン軸５２から駆動力を伝えるベルト式の伝動系が形成され、送風装置Ｅと排出装置Ｆとが連動して駆動されるように構成されている。
【００６６】
この構成から、収穫作業時にはフィーダＣで搬送されるトウモロコシは、吐出口４５Ａから収穫物タンク４の上方に機体後方向きに吐出されて機体上方向き開口４Ａに落下することにより、収穫物タンク４に回収されて貯留される。また、トウモロコシに混ざり込む小さな葉や稈身等の塵埃は、送風装置Ｅからの選別風により吹き飛ばされて案内ダクト５８の内部に送り込まれ、案内ダクト５８による排出案内を受けて収穫物タンク４の機体上方向き開口４Ａに落ち込まずに収穫物タンク４の外部に飛散する。フィーダＣで搬送される比較的大型の葉や稈身等の処理物は排出装置Ｆの一対の搬送ローラ５６の間に挟み込む形態で後方に比較的高速で搬送され、送風装置Ｅからの選別風とともに案内ダクト５８による排出案内を受けて収穫物タンク４の外方に排出される。
【００６７】
このフィーダＣでは非収穫物を一対の搬送ローラ５６で挟持して搬送する構成であるが、この構成に代えて、例えば、非収穫物を細断するカッター類を備えることにより、案内ダクト５８に対して細断された非収穫物を送り込むように構成しても良い。
【００６８】
〔収穫物タンク〕
図４，５に示すように、収穫物タンク４は、前壁４ｆ、後壁４ｒ、左右一対の横壁４ｓ及び底壁を備えて構成され、上部に機体上方向き開口４Ａを備える構造になっている。収穫物タンク４は、走行機体に対して横向き姿勢の揺動軸芯Ｑを中心にして揺動自在に支持され、収穫物タンク４の両側部に配置された油圧シリンダ１７の駆動力により、図４，１０に示す如く機体上方向き開口４ＡがフィーダＣの吐出口４５Ａの後方に上向きに位置し、吐出口４５Ａからのトウモロコシを回収して貯留する格納姿勢と、図６に示す如く機体上方向き開口４Ａが走行機体の後側に機体後方向きに位置し、貯留していたトウモロコシを機体上方向き開口４Ａから自然落下によって排出する排出姿勢とに切換自在に構成されている。収穫物タンク４が姿勢切換えされる際、収穫物タンク４の前端側の上端が移動軌跡４Ｌ（図４参照）に沿って移動する。
【００６９】
詳述すると、図１，４，５に示すように、タンクフレームＴＦは、前後一対の横長フレーム６７と、この横長フレーム６７の外端位置同士を連結する縦長フレーム６８とを連結することにより平面視で矩形に構成されている。このタンクフレームＴＦの左右の縦長フレーム６８の後部位置から第１フレーム７１が機体上方向きに立設され、この第１フレーム７１の上端部と縦長フレーム６８の上面とに連結する斜め姿勢の第２フレーム７２が備えられている。また、左右の第１フレーム７１の上端部と、後部側の横長フレーム６７の中央部の上面とを結ぶ位置に連結される斜め姿勢の補強フレーム７３が備えられている。
【００７０】
具体的な構成として、縦長フレーム６８の後端位置の上面に第１ブラケット７１Ａが固設され、この第１ブラケット７１Ａに対して第１フレーム７１の下端が連結している。また、縦長フレーム６８の中間位置の上面に対して第２ブラケット７２Ａが固設され、この支持ブラケット７５に対して第２フレーム７２の下端が連結している。更に、後端側の横長フレーム６７の中央位置の上面に補助ブラケット７３Ａが固設され、この補助ブラケット７３Ａに対して一対の補強フレーム７３の下端が連結している。尚、収穫物タンク４を支持するためのフレーム構成は、これに限るものではなく、第１フレーム７１の下端を縦長フレーム６８の上面に対して溶接等の技術により直接的に固定して良く、これと同様に第２フレーム７２の下端を縦長フレーム６８の上面に直接的に固定して良く、補強フレーム７３の下端を横長フレーム６７の上面に直接的に固定しても良い。
【００７１】
左右の第１フレーム７１の上端位置に軸受部７４を備え、この軸受部７４に対して収穫物タンク４の側面に突設した軸部４Ｂが支承されている。特に、収穫物タンク４の左右の側壁の外部には前後に延びる姿勢の補強体４Ｓが備えられ、この補強体４Ｓの後端位置に前述した軸部４Ｂが外方に向けて突設されている。また、左右の軸受部７４を結ぶ直線（左右の軸部４Ｂを結ぶ直線と一致する）が揺動軸芯Ｑとなる。
【００７２】
この第１フレーム７１と第２フレーム７２とでフレームユニットが構成され、第２フレーム７２の下端部の上面に固設された支持体７２Ｂに対して油圧シリンダ１７のシリンダ部１７Ａの下端が揺動自在に支持されている。また、収穫物タンク４の補強体４Ｓに対して側面に支持部材４Ｔが固設され、この支持部材４Ｔに対して単動型の油圧シリンダ１７のピストンロッド部１７Ｂの先端が揺動自在に支持されている。
【００７３】
つまり、第１フレーム７１と第２フレーム７２とで構成されるフレームユニットが機体フレームＡの後端位置の左右の２箇所に配置され、夫々のフレームユニットに油圧シリンダ１７を備えることにより、油圧シリンダ１７は収穫物タンク４を左右から挟み込む位置に配置される。また、左右のフレームユニットの中間の空間に左右のフレームユニットを機体フレームＡに連結するように補強フレーム７３が備えられている。このような構成において、左右の油圧シリンダ１７を収縮状態に設定することで収穫物タンク４を図４に示す貯留姿勢に維持し、左右の油圧シリンダ１７を伸長させることで収穫物タンク４を揺動軸芯Ｑを中心にして揺動させて図６に示す排出姿勢に切換えできる。
【００７４】
図４，９に示すように、収穫物タンク４の後方にシュート９０を配備してある。シュート９０は、左右一対の第１フレーム７１の上端部に設けた支持部７１Ｂに連結軸９１を介して枢支される平板形の案内底板９０ａと、案内底板９０ａの両横端部から上方向きに突出する平板形の横側板９０ｂとを備えて構成してある。シュート９０の奥行方向での中間部と左右一対の第１フレーム７１，７１とにわたって屈伸リンク機構９２を連結してある。一方の屈伸リンク機構９２，９２の揺動リンク９２ａを第１フレーム７１の支持部７１Ｃに揺動自在に連結している回転連結軸９３にシュート切換えレバー９４を一体回転自在に設け、シュート切換えレバー９４によってシュート９０を格納姿勢と使用姿勢とに切換えるように構成してある。
【００７５】
図７は、貯留姿勢に切換えられた状態の収穫物タンク４及び格納姿勢に切換えられた状態のシュート９０を示す側面図である。図４，５，７に示すように、シュート９０は、シュート切換えレバー９４を回転連結軸９３の軸芯周りに下降揺動操作すると、シュート切換えレバー９４に連結している回転連結軸９３が回転操作されることによって、かつ一対の屈伸リンク機構９２，９２がシュート９０によって連動していることによって一対の屈伸リンク機構９２，９２が縮み作動することで、連結軸９１の軸芯まわりに下降揺動して格納姿勢になる。シュート９０は、格納姿勢になると、案内底板９０ａが左右一対の第１フレーム７１，７１の後側に第１フレーム７１に沿って位置する取り付け姿勢になる。
【００７６】
図８は、使用姿勢に切換えられた状態のシュート９０を示す側面図である。図６，８に示すように、シュート９０は、シュート切換えレバー９４を回転連結軸９３の軸芯まわりに上昇揺動操作すると、シュート切換えレバー９４に連結している回転連結軸９３が回転操作されることによって、かつ一対の屈伸リンク機構９２，９２がシュート９０によって連動していることによって一対の屈伸リンク機構９２，９２が伸展作動することで、連結軸９１の軸芯まわりに上昇揺動して使用姿勢になる。シュート９０は、使用姿勢になると、案内底板９０ａが排出姿勢に切換えられた収穫物タンク４の後壁４ｒに沿った後下がり状態となり、かつ一対の横側板９０ｂ，９０ｂが排出姿勢の収穫物タンク４の機体上方向き開口４Ａの両横側に分かれて位置し、さらに案内底板９０ａ及び一対の横側板９０ｂ，９０ｂの一端側が収穫物タンク４から後方に突出した取り付け姿勢になり、排出姿勢の収穫物タンク４の機体上方向き開口４ａから排出されるトウモロコシを案内底板９０ａ及び横側板９０ｂによって運搬車荷台などの供給先に落下案内する。
【００７７】
シュート９０を使用姿勢に切換えた際、排出姿勢に切換えた収穫物タンク４が案内底板９０ａに押圧作用して、屈伸リンク機構９２を構成する一対の揺動リンク９２ａ，９２ｂの相対揺動を規制するストッパー９５が作用することにより、一対の屈伸リンク機構９２，９２は、伸展状態に維持されてシュート９０を使用姿勢に維持する。
【００７８】
〔案内ダクト〕
図４，５，１０，１１に示すように、案内ダクト５８は、案内ダクト５８の機体前方側端部から機体後方側端部にわたって備えさせた支持部材８０により、フィーダＣの搬送終端部を支持する左右一対の支柱６０，６０から各別に延出した支持アーム６０Ａ，６０Ａに連結されている。
【００７９】
支持部材８０は、案内ダクト５８の前端部に案内ダクト５８の横方向に沿って連結する横向き連結体８１と、横向き連結体８１の両端部からフィーダ側に延出して左右一対の支持アーム６０Ａ，６０Ａに各別に連結する左右一対の連結ブラケット６２，６２と、横向き連結体８１の両端部から案内ダクト５８の後端側に向かって延出する左右一対の前後向き支持杆８２，８２とを備えて構成してある。一方の前後向き支持杆８２は、延出端側に設けられた連結部８２ａによって案内ダクト５８の上壁５８Ｔに連結され、延出端部から機体横向きに延出する連結杆部８２ｂによって案内ダクト５８の側壁５８Ｓに連結されている。
【００８０】
左右一対の連結ブラケット６２，６２が機体横向きの切換支軸６１を介して支持アーム６０Ａに回転自在に連結されており、案内ダクト５８は、切換支軸６１の切換軸芯Ｒまわりに収穫物タンク４の側に下降揺動した案内位置Ｍと、案内位置Ｍから上昇揺動した解除位置Ｈとに切換え自在に支持されている。
【００８１】
図２，４，１０，１１に示すように、案内ダクト５８は、案内ダクト５８が案内位置Ｍに切換えられ、収穫物タンク４が貯留姿勢に切換えられた状態で、平面視においてフィーダＣの塵埃排出方向の延長上に配置される直線部５８Ａと、この直線部５８Ａで案内される塵埃を機体横外側向きに案内する湾曲部５８Ｂと、この湾曲部５８Ｂに連なる排出案内部５８Ｃとを備えて構成され、案内ダクト５８の全長にわたって機体下方向きに開口する案内空間を内部に備え、かつ排出案内部５８Ｃの端に機体横外側向きに開口する排出口５８Ｄを備えた構造になっている。この案内ダクト５８は、直線部５８Ａ、湾曲部５８Ｂ及び排出案内部５８Ｃの天板部を一連に構成する上壁５８Ｔと、直線部５８Ａ、湾曲部５８Ｂ及び排出案内部５８Ｃの両横板部を一連に構成する一対の側壁５８Ｓとを一体形成して構成されている。
【００８２】
案内ダクト５８は、案内位置Ｍに切換えられた状態において、貯留姿勢にある収穫物タンク４の上方近くに位置するように支持されている。案内ダクト５８は、案内位置Ｍに切換えられた状態において、前端側に位置する開口でフィーダケース４５の開放空間Ｖに連なり、排出装置Ｆから排出される塵埃及び送風装置Ｅからの選別風が内部空間に流入するようになっている。案内ダクト５８の湾曲部５８Ｂの半径方向での外側に、塵埃の下方への落下を抑制する落下規制壁５９を側壁５８Ｓの下端位置から案内ダクト５８内に向かって突出する状態で設けてある。
【００８３】
図２，１１に示すように、案内ダクト５８の直線部５８Ａの案内経路幅は、フィーダＣの後端において排出装置Ｆから塵埃が排出される排出経路幅より広く設定されている。また、案内ダクト５８における案内経路幅は、直線部５８Ａの部位で最も広く、案内経路の下流側ほど狭くなり、排出案内部５８Ｃにおいて最も狭くなるように設定されている。
【００８４】
従って、案内ダクト５８は、案内位置Ｍに切換えられると、フィーダＣの吐出口４５Ａ及び排出装置Ｆからの塵埃を送風装置Ｅからの選別風とともに内部空間に導入し、導入した塵埃を塵埃の飛散力と、選別風が発揮する搬送作用とによって収穫物タンク４に落下しないようにしながら排出案内部５８Ｃに流動案内し、排出口５８Ｄから収穫物タンク４の外部に飛散させる。更に、排出案内部５８Ｃにおいて側方に排出される。また、案内ダクト５８の内部の案内経路幅が流動方向下手側ほど狭くなっていることにより、内部空間での搬送風の流れを高めて高速での排出を実現する。
【００８５】
この案内ダクト５８では、塵埃を未刈り側に排出するように案内方向が設定されているが、この案内方向を既刈側に設定しても良い。
【００８６】
案内ダクト５８を案内位置Ｍと解除位置Ｈに切換える構成について説明する。
図４に示すように、左右一対の連結ブラケット６２，６２の一方の連結ブラケット６２に、これの基部から一体揺動自在に延出した操作アーム６３を備え、この操作アーム６３と収穫物タンク４の揺動軸芯Ｑから少し離れた側壁部位に設けたケーブル連結部４Ｋとに操作ケーブル６６のインナーケーブル６６Ａを連結することにより、案内ダクト５８と収穫物タンク４とを連係させてある。
【００８７】
図６は、排出姿勢に切換えられた状態の収穫物タンク４、及び解除位置Ｈに切換えられた状態の案内ダクト５８を示す側面図である。
この図に示すように、収穫物タンク４を排出姿勢に切換えると、収穫物タンク４が貯留姿勢から排出姿勢に向かって移動していくのに連係してインナーケーブル６６Ａがタンク側に引っ張り操作され、操作アーム６３がインナーケーブル６６Ａによって切換軸芯Ｒまわりに揺動操作されて連結ブラケット６２を揺動操作する。これにより、案内ダクト５８は、収穫物タンク４の排出姿勢への移動に連係して解除位置Ｈに自ずと切換え操作されて排出姿勢に移動する収穫物タンク４との当接を回避する。
【００８８】
図４は、貯留姿勢に切換えられた状態の収穫物タンク４、案内位置Ｍに切換えられた状態の案内ダクト５８を示す側面図である
この図に示すように、収穫物タンク４を貯留姿勢に切換えると、収穫物タンク４が排出姿勢から貯留姿勢に向かって移動していくのに連係してインナーケーブル６６Ａが緩め操作され、操作アーム６３が案内ダクト５８の重量によって切換軸芯Ｒまわりに揺動操作されて連結ブラケット６２を揺動操作する。これにより、案内ダクト５８は、収穫物タンク４の貯留姿勢に向かって移動に連係して案内位置Ｍに向かって移動するが、収穫物タンク４の貯留姿勢への切り換わりが完了するまでは案内位置Ｍに切り換わらなくて貯留姿勢に向かって移動する収穫物タンク４との当接を回避する。案内ダクト５８は、収穫物タンク４が貯留姿勢に切り換わると、案内位置Ｍに切り換わって案内位置Ｍを維持する。
【００８９】
図４に示すように、収穫物タンク４の横側方に切換えレバー６４を設け、収穫物タンク４が貯留姿勢にある状態において、切換えレバー６４によって案内ダクト５８を案内位置Ｍと格納位置Ｌとに切換えることを可能にしてある。
【００９０】
図４，１６，１７に示すように、切換えレバー６４は、基端部に設けた二又部６４ａを備え、この二又部６４ａで第２フレーム７２に設けた支持部７２Ｃに連結軸６４ｂを介して枢支され、かつ二又部６４ａで操作ケーブル６６を構成するアウターケーブル６６Ｂのタンク側端部に連結されている。
【００９１】
従って、収穫物タンク４が貯留姿勢にある状態において、切換えレバー６４を連結軸６４ｂの軸芯まわりに揺動操作すると、アウターケーブル６６Ｂが摺動操作され、これによってインナーケーブル６６Ａが作動して操作アーム６３を揺動操作する。
つまり、切換えレバー６４を作業操作位置Ｍａに操作することにより、案内ダクト５８が案内位置Ｍになる。切換えレバー６４を格納操作位置Ｌａに操作することにより、案内ダクト５８が案内位置Ｍよりタンク側に下降揺動した格納位置Ｌ（図４参照）になる。
切換えレバー６４を揺動操作する場合、切換えレバー６４の中間部を構成しているバネ板６４ｃを弾性変形させて、切換えレバー６４に設けてある位置決めピン６４ｄを第１フレーム７１に設けてある位置決め盤６５のピン孔６５ａから離脱させることにより、位置決め盤６５による切換えレバー６４の位置決めロックを解除する。案内ダクト５８が案内位置Ｍ及び格納位置Ｌになった場合、切換えレバー６４の位置決めピン６４ｄを位置決め盤６５のピン孔６５ａに係入させることにより、切換えレバー６４を作業操作位置Ｍａや格納操作位置Ｌａに位置決め盤６５によってロックして案内ダクト５８を案内位置Ｍや格納位置Ｌに保持する。
【００９２】
図５，１０，１１に示すように、案内ダクト５８の後端側に案内体８５を連結してある。案内ダクト５８が備える支持部材８０に、左右一対の前後向き支持杆８２，８２の延出端部を連結する横向き支持杆８３を備えさせ、この横向き支持杆８３に案内体８５の上端部を支持させてあることにより、案内体８５は、案内ダクト５８の後端側に連結され、収穫物タンク４の上方から収穫物タンク４に向けて垂下されている。案内体８５は、ゴム板によって構成してあり、フィーダＣの吐出口４５Ａから吐出されたトウモロコシが当接した際、当接力の強さによっては弾性変形して、あるいは機体後方側に揺れ動いて、トウモロコシに掛る当接反力を弱くする緩衝機能を備えている。案内体８５の横幅Ｗ１を、フィーダＣの吐出口４５Ａの横幅Ｗ２より大で、吐出口４５Ａの横幅Ｗ２とほぼ同じ横幅に設定してある。
【００９３】
案内体８５は、案内ダクト５８に連動しており、かつ案内ダクト５８及び操作ケーブル６６を介して収穫物タンク４に連動しており、案内ダクト５８の位置変化及び収穫物タンク４の姿勢変化に連係して作用位置と退避位置とに自ずと変化する。
【００９４】
図４は、貯留姿勢に切換えられた状態の収穫物タンク４、案内位置に切換えられた状態の案内ダクト５８を示し、かつ作用位置に切換えられた状態の案内体８５を実線で示す側面図である。図５は、貯留姿勢に切換えられた状態の収穫物タンク４、案内位置Ｍに切換えられた状態の案内ダクト５８、作用位置に切換えられた状態の案内体８５を示す後面図である。図１０は、貯留姿勢に切換えられた状態の収穫物タンク４、案内位置に切換えられた状態の案内ダクト５８、作用位置に切換えられた状態の案内体８５を示す側面図である。
【００９５】
これらの図に示すように、案内体８５は、収穫物タンク４が貯留姿勢に向けて移動操作されるのに連係して、かつ案内ダクト５８が案内位置Ｍに向けて移動操作されるのに連係して、案内ダクト５８の下降揺動のために切換軸芯Ｒまわりに下降移動し、収穫物タンク４が貯留姿勢に切り換わり、案内ダクト５８が案内位置Ｍに切り換わると、作用位置に切り換わる。案内体８５は、作用位置に切り換わると、フィーダＣの吐出口４５Ａに対して吐出方向下手側の箇所に位置し、吐出口４５Ａから吐出され、収穫物タンク４を越えて後方に飛び出ようとするトウモロコシがあれば、このトウモロコシを収穫物タンク４の機体上方向き開口４ａより高い配置高さの箇所で受け止めて機体上方向き開口４ａに落下案内する。
【００９６】
案内体８５は、作用位置に切り換わると、収穫物タンク４の内側での後壁４ｒに近い箇所に位置し、吐出口４５Ａからトウモロコシに混在して吐出された塵埃が後方に拡散することに対する障害になりにくいように、後壁４ｒのほぼ直上方箇所で吐出口４５Ａからのトウモロコシに受け止め作用する。
【００９７】
案内体８５は、作用位置に切り換わると、下端部８５ａが収穫物タンク４の内部に入り込んだ状態になる。これにより、案内体８５は、トウモロコシの当接が強く、上端側が機体後方側に大きく揺れ動いて下端側が収穫物タンク４に対して上方にずれ動いても、下端側が収穫物タンク４から外れずに後壁４ｒによって支持されて、強く当接したトウモロコシの受け止めを強固に行なう。
【００９８】
〔別実施例〕
（１）上記した実施例では、案内体８５をゴム板によって構成した例を示したが、機体横方向に並ぶ複数本のチェーンやロープなどの線状材によって構成して実施してもよい。また、パンチングメタルなど通気孔を備えた板状体によって構成して実施してもよい。
【００９９】
（２）上記した実施例では、案内ダクト５８を備えた例を示したが、案内ダクト５８を備えない構成にして実施してもよい。
【０１００】
（３）上記した実施例では、案内体８５を支持部材８０から垂下する状態で支持されるよう構成した例を示したが、収穫物タンク４の後壁４ｒから上方向きに突出する状態で収穫物タンク４に支持させる構成を採用して実施してもよい。
【０１０１】
（４）上記した実施例では、案内体８５を収穫物タンク４の内側での後壁４ｒのほぼ直上方箇所で吐出口４５Ａからのトウモロコシを受け止めるよう配備した例を示したが、後壁４ｒの直上方箇所でトウモロコシを受け止めるよう配備して実施してもよい。また、収穫物タンク４の外部での後壁４ｒのほぼ直上方箇所でトウモロコシを受止めるよう配備して実施してもよい。
【０１０２】
（５）上記した実施例では、収穫物タンク４の貯留姿勢と排出姿勢の姿勢変化、案内ダクト５８の案内位置と解除位置の位置変化に連係して案内体８５が作用位置と退避位置に切り換わるよう構成した例を示したが、案内体８５を収穫物タンク４及び案内ダクト５８に対して連係せずに単独で作用位置と退避位置に切換え操作するように構成して実施してもよい。
【０１０３】
（６）上記した実施例では、案内体８５と収穫物タンク４を連係させるのに操作ケーブル６６を採用した例を示したが、チェーンやギヤを採用して実施してもよい
【産業上の利用可能性】
【０１０４】
本発明は、トウモロコシを収穫する収穫部Ｂに替え、稲、麦など各種の作物を収穫する収穫部を備える収穫機に利用することができる。
【符号の説明】
【０１０５】
４          収穫物タンク
４Ａ        機体上方向き開口
４ｒ        後壁
４５Ａ      吐出口
８５        案内体
８５ａ      下端部
９０        シュート
９０ａ      案内底板
９０ｂ      横側板
Ｂ          収穫部
Ｃ          搬送機構（フィーダ）
Ｅ          送風装置
Ｗ１        案内体の横幅
Ｗ２        吐出口の横幅
【図１】
2013220054.tif 000003
【図２】
2013220054.tif 000004
【図３】
2013220054.tif 000005
【図４】
2013220054.tif 000006
【図５】
2013220054.tif 000007
【図６】
2013220054.tif 000008
【図７】
2013220054.tif 000009
【図８】
2013220054.tif 000010
【図９】
2013220054.tif 000011
【図１０】
2013220054.tif 000012
【図１１】
2013220054.tif 000013
【図１２】
2013220054.tif 000014
【図１３】
2013220054.tif 000015
【図１４】
2013220054.tif 000016
【図１５】
2013220054.tif 000017
【図１６】
2013220054.tif 000018
【図１７】
2013220054.tif 000019